(57)【要約】【課題】  マルチウェイのスピーカーユニットのキャビネットを分けるとともに、それぞれキャビネット内の定在波の発生を抑制して、相互に音響的な影響を受けにくいスピーカーキャビネット並びにこのスピーカーキャビネットを用いたスピーカーシステムを提供する。【解決手段】  スピーカーキャビネットは、外殻キャビネットが、第１スピーカーユニット並びに第２スピーカーユニットが共に取り付けられる前面板と、外殻天面板と、外殻左側面板と、外殻右側面板と、外殻底面板と、を備え、内殻キャビネットが、内殻天面板と、内殻左側面板と、内殻右側面板と、内殻底面板と、を備え、外殻天面板および内殻天面板の組、外殻左側面板および内殻左側面板の組、外殻右側面板および内殻右側面板の組、外殻底面板および内殻底面板の組、がそれぞれ非平行に対向するように外殻キャビネット並びに内殻キャビネットが形成されている。【選択図】  図１
2018088662.tif 000002
【特許請求の範囲】
【請求項１】
第１スピーカーユニットの背面側に第１空間を規定する外殻キャビネットの内側において、第２スピーカーユニットの背面側に該第１空間とは隔てられる第２空間を規定する内殻キャビネットを備えるスピーカーキャビネットであって、
該外殻キャビネットが、該第１スピーカーユニット並びに該第２スピーカーユニットが共に取り付けられる前面板と、外殻天面板と、外殻左側面板と、外殻右側面板と、外殻底面板と、を備え、
該内殻キャビネットが、内殻天面板と、内殻左側面板と、内殻右側面板と、内殻底面板と、を備え、
該外殻天面板および該内殻天面板の組、該外殻左側面板および該内殻左側面板の組、該外殻右側面板および該内殻右側面板の組、該外殻底面板および該内殻底面板の組、がそれぞれ非平行に対向するように該外殻キャビネット並びに該内殻キャビネットが形成されている、
スピーカーキャビネット。
【請求項２】
前記外殻キャビネットが略直方体形状を構成するように、略矩形平面状の前記前面板と、前記外殻天面板と、前記外殻左側面板と、前記外殻右側面板と、前記外殻底面板と、前記外殻背面板と、さらに略矩形平面状の外殻背面板と、を備える場合に、
前記内殻天面板、前記内殻左側面板、前記内殻右側面板、並びに、該内殻底面板が、それぞれ該前面板に対して直交しないように連結して前記内殻キャビネットを構成する、
請求項１に記載のスピーカーキャビネット。
【請求項３】
略三角形平面状の部材で形成される前記内殻天面板、前記内殻左側面板、前記内殻右側面板、並びに、該内殻底面板が、該前面板に連結して該内殻キャビネットを構成し、略四角錐形状の前記第２空間を規定する、
請求項２に記載のスピーカーキャビネット。
【請求項４】
前記内殻キャビネットがさらに内殻背面板を備え、略台形平面状の部材で形成される前記内殻天面板、前記内殻左側面板、前記内殻右側面板、並びに、該内殻底面板が、該前面板に連結して該内殻キャビネットを構成し、略四角錐台形状の前記第２空間を規定する、
請求項２に記載のスピーカーキャビネット。
【請求項５】
前記第２スピーカーユニットが前記前面板の中央付近に取り付けられる場合に、前記外殻キャビネットが規定する前記第１空間の中央付近に、前記第２空間を規定する前記内殻キャビネットが取り付けられる、
請求項１から４のいずれかに記載のスピーカーキャビネット。
【請求項６】
少なくとも２個の前記第１スピーカーユニットと１個の前記第２スピーカーユニットとが前記前面板に取り付けられる場合に、２個の該第１スピーカーユニットの中間位置に該第２スピーカーユニットが取り付けられる、
請求項５に記載のスピーカーキャビネット。
【請求項７】
前記外殻キャビネット並びに前記内殻キャビネットを構成する木質材料の板材が、ホワイトオーク、ヨーロピアンオーク、またはミズナラの無垢材または集成材である、
請求項１から６のいずれかに記載のスピーカーキャビネット。
【請求項８】
請求項１から７のいずれかに記載のスピーカーキャビネットと、前記前面板に取り付けられる前記第１スピーカーユニット並びに前記第２スピーカーユニットと、を含むスピーカーシステム。
【発明の詳細な説明】
【技術分野】
【０００１】
本発明は、スピーカーキャビネット、並びに、このスピーカーキャビネットを用いたスピーカーシステムに関する。
【背景技術】
【０００２】
スピーカーシステムは、スピーカーキャビネットに取り付けられたスピーカーユニットに音声信号を印加することにより音を再生する。スピーカーユニットは、振動板を振動させて、音声信号を音波に変換する。スピーカーシステムのキャビネットは、スピーカーユニットの振動板の背面側に放射される音波を振動板の前面側に放射される音波と隔てて、背面側の空間に音響容量を規定する空間を設けるように機能する。
【０００３】
スピーカーシステムは、キャビネットの外形形状、内部構造には様々なものがあるが、略直方体形状のキャビネットの前面板にスピーカーユニットが取り付けられるものが一般的である。略直方体形状のキャビネットの場合には、キャビネット内の空間が平行な対向面の組（天面板−底面板、左側面板−右側面板、前面板−背面板）から構成されるので、これらの対向面の間で定在波が発生しやすくなり、スピーカーシステムの音圧再生周波数特性、ならびに、再生音質に悪い影響を与えやすくなるという問題がある。したがって、スピーカーシステムのキャビネットでは、定在波の発生を抑制する、あるいは、定在波の影響を少なくするように、様々な対策が従来から検討されている。
【０００４】
また、スピーカーシステムでは、音声の再生帯域に応じて複数のスピーカーユニットを使用するマルチウェイスピーカーシステムがある。マルチウェイスピーカーシステムのなかには、例えば低音域再生用のスピーカーユニットであるウーファー用のキャビネットと、高音域再生用のスピーカーユニットであるツィーター用のキャビネットとを分けて、キャビネット内の定在波による音響的な影響、あるいは、スピーカーユニットからの振動の影響を相互に受けない・及ぼさないようにしようとするものがある（特許文献１、特許文献２）。ウーファー用のキャビネットが相対的に大きくなりやすいので、相対的に小さいツィーター用のキャビネットは、ウーファー用のキャビネットを区分けして設けるチャンバー、あるいは、バックキャビティなどと呼ばれる場合がある。
【０００５】
【特許文献１】特開平０１−０８１４９９号公報
【特許文献２】実開平５−８２１９４号公報
【０００６】
しかしながら、特許文献２の図３に図示するような、略直方体形状のウーファー用のキャビネットの内部に体積の小さい略直方体形状のツィーター用のキャビネットを設けるような場合には、ウーファー用のキャビネットとツィーター用のキャビネットとは音響的に隔てられているものの、キャビネット内部に平行となる対向面の組を多く含むことになるので、それぞれのキャビネットの内部において定在波が発生しやすくなるという問題がある。例えば従来には、斜面を含むようにツィーター用のキャビネットをウーファー用のキャビネットの内部に形成することで、それぞれのキャビネットにおいて定在波の発生を抑制しようとする場合が存在するが、再生音質の改善には従来技術では不十分な場合がある。
【発明の概要】
【発明が解決しようとする課題】
【０００７】
本発明は、上記の従来技術が有する問題を解決するためになされたものであり、その目的は、スピーカーキャビネット、並びに、このスピーカーキャビネットを用いたスピーカーシステムに関し、マルチウェイのスピーカーユニットのキャビネットを分けるとともに、それぞれのキャビネット内の定在波の発生を抑制して、相互に音響的な影響を受けにくいスピーカーキャビネット、並びに、これらのスピーカーキャビネットを用いたスピーカーシステムを提供することにある。
【課題を解決するための手段】
【０００８】
本発明のスピーカーキャビネットは、第１スピーカーユニットの背面側に第１空間を規定する外殻キャビネットの内側において、第２スピーカーユニットの背面側に第１空間とは隔てられる第２空間を規定する内殻キャビネットを備えるスピーカーキャビネットであって、外殻キャビネットが、第１スピーカーユニット並びに第２スピーカーユニットが共に取り付けられる前面板と、外殻天面板と、外殻左側面板と、外殻右側面板と、外殻底面板と、を備え、内殻キャビネットが、内殻天面板と、内殻左側面板と、内殻右側面板と、内殻底面板と、を備え、外殻天面板および内殻天面板の組、外殻左側面板および内殻左側面板の組、外殻右側面板および内殻右側面板の組、外殻底面板および内殻底面板の組、がそれぞれ非平行に対向するように外殻キャビネット並びに内殻キャビネットが形成されている。
【０００９】
好ましくは、本発明のスピーカーキャビネットは、外殻キャビネットが略直方体形状を構成するように、略矩形平面状の前面板と、外殻天面板と、外殻左側面板と、外殻右側面板と、外殻底面板と、外殻背面板と、さらに略矩形平面状の外殻背面板と、を備える場合に、内殻天面板、内殻左側面板、内殻右側面板、並びに、内殻底面板が、それぞれ前面板に対して直交しないように連結して内殻キャビネットを構成する。
【００１０】
また、好ましくは、本発明のスピーカーキャビネットは、略三角形平面状の部材で形成される内殻天面板、内殻左側面板、内殻右側面板、並びに、内殻底面板が、前面板に連結して内殻キャビネットを構成し、略四角錐形状の第２空間を規定する。
【００１１】
また、好ましくは、本発明のスピーカーキャビネットは、内殻キャビネットがさらに内殻背面板を備え、略台形平面状の部材で形成される内殻天面板、内殻左側面板、内殻右側面板、並びに、内殻底面板が、前面板に連結して内殻キャビネットを構成し、略四角錐台形状の第２空間を規定する。
【００１２】
また、好ましくは、本発明のスピーカーキャビネットは、第２スピーカーユニットが前面板の中央付近に取り付けられる場合に、外殻キャビネットが規定する第１空間の中央付近に、第２空間を規定する内殻キャビネットが取り付けられる。
【００１３】
また、好ましくは、本発明のスピーカーキャビネットは、少なくとも２個の第１スピーカーユニットと１個の第２スピーカーユニットとが前面板に取り付けられる場合に、２個の第１スピーカーユニットの中間位置に第２スピーカーユニットが取り付けられる。
【００１４】
また、好ましくは、本発明のスピーカーキャビネットは、外殻キャビネット並びに内殻キャビネットを構成する木質材料の板材が、ホワイトオーク、ヨーロピアンオーク、またはミズナラの無垢材または集成材である。
【００１５】
また、本発明のスピーカーシステムは、上記のスピーカーキャビネットと、前面板に取り付けられる第１スピーカーユニット並びに第２スピーカーユニットと、を含む。
【００１６】
以下、本発明の作用について説明する。
【００１７】
本発明のスピーカーキャビネットは、第１スピーカーユニットの背面側に第１空間を規定する外殻キャビネットの内側において、第２スピーカーユニットの背面側に第１空間とは隔てられる第２空間を規定する内殻キャビネットを備える。スピーカーシステムは、このスピーカーキャビネットと、前面板に取り付けられる第１スピーカーユニット並びに第２スピーカーユニットと、を含む。したがって、スピーカーシステムを構成する場合に、マルチウェイのスピーカーユニットのキャビネットを分けて、キャビネット内の定在波による音響的な影響、あるいは、他のスピーカーユニットからの振動の影響を相互に受けない・及ぼさないようにすることができる。
【００１８】
外殻キャビネットは、第１スピーカーユニット並びに第２スピーカーユニットが共に取り付けられる前面板と、外殻天面板と、外殻左側面板と、外殻右側面板と、外殻底面板と、を備える。内殻キャビネットは、内殻天面板と、内殻左側面板と、内殻右側面板と、内殻底面板と、を備える。そして、対向する関係になる外殻天面板および内殻天面板の組、外殻左側面板および内殻左側面板の組、外殻右側面板および内殻右側面板の組、外殻底面板および内殻底面板の組、がそれぞれ非平行に対向するように外殻キャビネット並びに内殻キャビネットが形成されているので、外殻キャビネット並びに内殻キャビネットの少なくとも何れか一方のキャビネット内の定在波の発生が抑制されるとともに、相互に音響的な影響を及ぼさないようにすることができる。
【００１９】
本発明のスピーカーキャビネットは、外殻キャビネットが略直方体形状を構成するように、略矩形平面状の前面板と、外殻天面板と、外殻左側面板と、外殻右側面板と、外殻底面板と、外殻背面板と、さらに略矩形平面状の外殻背面板と、を備える場合には、内殻天面板、内殻左側面板、内殻右側面板、並びに、内殻底面板が、それぞれ前面板に対して直交しないように連結して内殻キャビネットを構成すればよい。外殻キャビネットが略直方体形状なので製造が容易でコストを安くできる一方で、対向する面が相互に非平行に対向するように外殻キャビネット並びに内殻キャビネットが形成されているので、それぞれのキャビネット内において定在波の発生を抑制することができる。
【００２０】
内殻キャビネットは、いずれも略三角形平面状の部材で形成される内殻天面板、内殻左側面板、内殻右側面板、並びに、内殻底面板が、前面板に連結して、略四角錐形状の第２空間を規定するようにするのが好ましい。また、内殻キャビネットは、さらに内殻背面板を備え、いずれも略台形平面状の部材で形成される内殻天面板、内殻左側面板、内殻右側面板、並びに、内殻底面板が、前面板に連結して内殻キャビネットを構成して、略四角錐台形状の第２空間を規定するようにしてもよい。いずれの場合も内殻キャビネットの製造が容易であり、外殻および内殻それぞれのキャビネット内において定在波の発生を抑制することができる。
【００２１】
また、スピーカーキャビネットは、第２スピーカーユニットが前面板の中央付近に取り付けられる場合に、外殻キャビネットが規定する第１空間の中央付近に、第２空間を規定する内殻キャビネットが取り付けられるようにすればよい。音波の定在波が発生する場合の粒子速度または音圧の極大値が生じることになりやすい第１空間の中央付近に、内殻キャビネットが位置することになるので、外殻キャビネット内における定在波の発生を抑制することができる。特に、少なくとも２個の第１スピーカーユニットと１個の第２スピーカーユニットとが前面板に取り付けられる場合には、２個の第１スピーカーユニットの中間位置に第２スピーカーユニットの背面側に突出する内殻キャビネットを取り付けることで、外殻キャビネット内における２個の第１スピーカーユニットが並んだキャビネットの長い寸法方向における定在波の発生を抑制することができる。
【００２２】
外殻キャビネット並びに内殻キャビネットを構成する木質材料の板材は、ホワイトオーク、ヨーロピアンオーク、またはミズナラの無垢材または集成材とすることで、振動するスピーカーキャビネットから放射される音を含んでスピーカーシステム全体の再生音質に好ましい影響を与えることができる。
【発明の効果】
【００２３】
本発明のスピーカーキャビネット並びにこのスピーカーキャビネットを用いたスピーカーシステムは、マルチウェイのスピーカーユニットのキャビネットを分けるとともに、それぞれキャビネット内の定在波の発生を抑制して、相互に音響的な影響を受けにくくして、好ましい音声・音場再生が可能になる。
【図面の簡単な説明】
【００２４】
【図１】本発明の好ましい実施形態によるスピーカーキャビネット１０を用いたスピーカーシステム１について説明する図である。（実施例１）
【図２】本発明の好ましい実施形態によるスピーカーキャビネット１０ａについて説明する図である。（実施例２）
【図３】本発明の好ましい実施形態によるスピーカーキャビネット１０ｂについて説明する図である。（実施例３）
【図４】本発明の好ましい実施形態によるスピーカーキャビネット１０を用いたスピーカーシステムのウーファーの音圧周波数特性並びにインピーダンス特性について説明するグラフである。（実施例１、比較例１）
【図５】本発明の好ましい実施形態によるスピーカーキャビネット１０を用いたスピーカーシステムのツィーターの音圧周波数特性並びにインピーダンス特性について説明するグラフである。（実施例１、比較例１）
【発明を実施するための形態】
【００２５】
以下、本発明の好ましい実施形態によるスピーカーキャビネット並びにこのスピーカーキャビネットを用いたスピーカーシステムについて説明するが、本発明はこれらの実施形態には限定されない。
【実施例１】
【００２６】
図１は、本発明の好ましい実施形態によるスピーカーキャビネット１０を用いたスピーカーシステム１について説明する図である。具体的には、図１（ａ）はスピーカーシステム１の正面図、図１（ｂ）は天面側から見たＡ−Ａ’断面図、図２（ｃ）は側面側から見たＢ−Ｂ’断面図である。なお、以下において、本発明の説明に不要なスピーカーシステム１の一部の構造や、内部構造等は、図示並びに説明を省略する。
【００２７】
スピーカーシステム１は、略直方体形状のスピーカーキャビネット１０の略矩形平面状の前面板１０に、低音域再生用のスピーカーユニットであるウーファー２および４と、高音域再生用のスピーカーユニットであるツィーター３と、を取り付けて構成されている２ウェイスピーカーシステムである。スピーカーシステム１は、縦列に配置した２つのウーファー２および４の中間位置を仮想的な音源位置と仮定して、同じ位置にツィーター３を配置することで、仮想的に同軸構成のマルチウェイスピーカーシステムを構成するという方式を採用している。
【００２８】
ウーファー２および４と、ツィーター３と、は、前面板１０に設けられる直線上に並んだスピーカーユニット取付孔２ａおよび４ａと、３ａとをそれぞれ規定する周縁部にそれぞれ取り付けられている。また、ツィーター３は、２個のウーファー２および４の中間位置であって、前面板１１の中央付近に取り付けられている。スピーカーユニットの前面板１１への固定には、（図示しない）比較的長い木ねじやボルト／ナット等の固定手段が用いられる。
【００２９】
本実施例では、スピーカーキャビネット１０並びに後述するチャンバー２０を構成する木質材料の板材は、所定の厚みを有するホワイトオーク（またはヨーロピアンオーク、またはミズナラ）の無垢材または集成材である。もちろん、スピーカーキャビネット１０を構成する木質材料の板材は、接着剤等を用いて形成されるＭＤＦまたはパーティクルボードパーティクルボード、であってもよい。
【００３０】
本発明のスピーカーキャビネット１０は、スピーカーユニット取付孔２ａ、３ａおよび４ａを備える前面板１１と、前面板に向かって右側面方向の右側板１２と、前面板に向かって左側面方向の左側板１３と、前面板１１の反対側の背面板１４と、前面板に向かって上面方向の天面板１５と、前面板に向かって下面方向の底面板１６と、を備える。本実施例のスピーカーキャビネット１０は略直方体形状の箱体であり、前面板１１と、右側板１２と、左側板１３と、背面板１４と、天面板１５と、底面板１６と、は全て略矩形平面状の板材から構成されている。
【００３１】
前面板１１と、右側板１２と、左側板１３と、背面板１４と、天面板１５と、底面板１６と、は互いに直交する角度で連結して、六面体の略直方体形状のスピーカーキャビネット１０を構成する。したがって、前面板１１および背面板１４の組と、右側板１２および左側板１３の組と、天面板１５および底面板１６の組と、はそれぞれの板材が平行に対向することになる。スピーカーキャビネット１０は、外観視される外殻となるキャビネットを構成するとともに、低音域再生用のウーファー２および４に関して、それらの振動板の背面側に放射される音波を振動板の前面側に放射される音波と隔てて、背面側の空間に音響容量を規定する第１空間１７を設けている。
【００３２】
スピーカーキャビネット１０は、その内側において、ツィーター３の背面側に第１空間１７とは隔てられる第２空間２７を規定する内殻キャビネットとしてのチャンバー２０を備える。チャンバー２０は、略台形平面状の板材で形成されている右側面板２２、左側面板２３、天面板２５および底面板２６と、略正方形形状の背面板２４と、を備える。チャンバー２０は、前面板１１にその背面側から取り付けられており、右側面板２２と、左側面板２３と、天面板２５と、底面板２６とが、それぞれ前面板１１に対して直交しないように連結しているので、その内側に略四角錐台形状の第２空間２７を規定する。チャンバー２０を構成する右側板２２および左側板２３の組と、天面板２５および底面板２６の組と、はそれぞれの板材が非平行に対向することになる。
【００３３】
つまり、チャンバー２０は、ツィーター３の背面側において、前面板１１から背面板１４に向かうにつれて断面積が小さくなるような略四角錐台形状の第２空間２７を規定する。また、スピーカーキャビネット１０の内側において、略四角錐台形状の外形を有するチャンバー２０は、前面板１１の中央付近から背面板１４に向かって突出することになる。したがって、スピーカーキャビネット１０とチャンバー２０との間では、相対的に対向する関係になる右側板１２および右側板２２の組と、左側板１３および左側板２３の組と、天面板１５および天面板２５の組と、底面板１６および底面板２６の組と、はそれぞれの板材が非平行に対向することになる。
【００３４】
スピーカーシステム１では、スピーカーキャビネット１０がウーファー２および４の背面側の空間として規定する第１空間１７と、チャンバー２０がツィーター３の背面側の空間として規定する第２空間２７とが、通気しないように隔てられているので、それぞれの内部空間で発生しうる定在波による音響的な影響、あるいは、他のスピーカーユニットからの振動の影響を、相互に受けない・及ぼさないようにすることができる。例えば、ウーファー２および４の背面側空間である第１空間１７で定在波が発生したとしても、隔てられた第２空間２７を背面側に有するツィーター３の振動板が、第１空間１７での定在波に影響されて振動するようなことを防ぐことができる。
【００３５】
また、チャンバー２０は、略四角錐台形状の内部空間である第２空間２７を形成するので、非平行に対向する右側面板２２と左側面板２３との間、または、非平行に対向する天面板２５と底面板２６との間には、特定の周波数での定在波を発生させにくくすることができる。その結果、ツィーター３からの放射音圧周波数特性に、定在波によるピーク・ディップが現れるのを抑制することができる。
【００３６】
また、チャンバー２０は、略四角錐台形状の内部空間である第２空間２７を形成するように、前面板１１の中央付近から背面板１４に向かって突出するので、第１空間１７における定在波の発生を抑制することができる。音波の定在波が発生する場合の粒子速度または音圧の極大値が生じることになりやすい第１空間１７の中央付近に、チャンバー２０が位置することになるからである。特に本実施例のように２個のウーファー２および４と１個のツィーター３とが前面板１１に取り付けられる場合には、ウーファー２および４の中間位置にツィーター３の背面側に突出するチャンバー２０が取り付けられるので、スピーカーキャビネット１０の縦に長い寸法方向で発生しやすい定在波を抑制することができる。
【００３７】
さらに、スピーカーキャビネット１０とチャンバー２０との間では、相対的に対向する関係になる右側板１２および右側板２２の組と、左側板１３および左側板２３の組と、天面板１５および天面板２５の組と、底面板１６および底面板２６の組と、はそれぞれの板材が非平行に対向することになるので、第１空間１７での定在波の発生を抑制することができる。その結果、ウーファー２および４からの放射音圧周波数特性に、定在波によるピーク・ディップが現れるのを抑制することができる。
【００３８】
図４は、スピーカーキャビネット１０を用いたスピーカーシステム１のウーファー２および４の音圧周波数特性並びにインピーダンス特性について説明するグラフである。また、図５は、ツィーター３の音圧周波数特性並びにインピーダンス特性について説明するグラフである。具体的には、横軸は入力信号の周波数（Ｈｚ）を示し、縦軸は出力音圧レベル（ＳＰＬ：ｄＢ）並びにインピーダンス値（Ω）を示すグラフである。なお、インピーダンス特性は、インピーダンス値を逆数にしたアドミタンス特性としてグラフの上側にプロットされており、音圧周波数特性は、グラフの下側にプロットされている。インピーダンス値が極大となる周波数は、スピーカーユニットがそれ以上の周波数で再生する音圧レベルが大きくなる最低共振周波数ｆ０である。すなわち、アドミタンス特性においてディップとなる周波数は、スピーカーユニットのボイスコイルの振動速度が大きくなる共振周波数である。
【００３９】
ウーファー２および４に関して、図４（ａ）は上記実施例の場合であり、一方で図４（ｂ）は略直方体形状のスピーカーキャビネットの内側に略直方体形状のチャンバーを形成している（図示しない）比較例の場合を示す。比較例は、上記実施例と場合とのチャンバー２０の形状のみが相違する。上記実施例の場合には、比較例の場合と比較して分かるように、ウーファー２および４からの放射音圧周波数特性に、約６００Ｈｚ付近に出現しやすい定在波によるピークを抑制することができる。この定在波の周波数において、比較例の場合にはアドミタンス特性においてディップが出現しているように、定在波によってスピーカーユニットの振動板が振動させられて、ボイスコイル振動速度が大きくなっている。一方で、上記実施例の場合には、アドミタンス特性においてディップが現れないほどになっており、第１空間１７において定在波が抑制されていることがわかる。
【００４０】
同様に、ツィーター３に関して、図５（ａ）は上記実施例の場合であり、一方で図５（ｂ）は比較例の場合を示す。上記実施例の場合には、比較例の場合と比較して分かるように、ツィーター３からの放射音圧周波数特性に、約１５００Ｈｚ付近に出現しやすい定在波によるピークを抑制することができる。このように上記実施例の場合のチャンバー２０は、第１空間１７における定在波と、第２空間２７における定在波と、をともに抑制することができる。
【００４１】
本実施例では、大きな外殻を構成する略直方体形状のスピーカーキャビネット１０の内側に略四角錐台形状のチャンバー２０を形成しているので、比較的に複雑な形状のチャンバー２０が相対的に小さい構造体になる。略直方体形状のスピーカーキャビネット１０の製造は大きさに係わらず容易であり、また、比較的に複雑な形状のチャンバー２０の製造は、大きさが相対的に小さくなれば容易になる。したがって、スピーカーキャビネット１０およびチャンバー２０は、製造に係るコストを安くできる利点がある。
【実施例２】
【００４２】
図２は、本発明の他の好ましい実施形態によるスピーカーキャビネット１０ａについて説明する図である。具体的には、図２（ａ）はスピーカーキャビネット１０ａの正面図、図２（ｂ）は天面側から見たＡ−Ａ’断面図、図２（ｃ）は側面側から見たＢ−Ｂ’断面図である。なお、以下において、本発明の説明に不要なスピーカーキャビネット１０ａの一部の構造や、内部構造等は、図示並びに説明を省略する。また、上記実施例で説明する同様の構成については、同じ名称と符号を付して説明を省略する。
【００４３】
略直方体形状のスピーカーキャビネット１０ａは、略矩形平面状の前面板１０に、低音域再生用のスピーカーユニットであるウーファーと、高音域再生用のスピーカーユニットであるツィーターと、を取り付けて（図示しない）２ウェイスピーカーシステム構成する。（図示しない）ウーファー２および（図示しない）ツィーター３は、前面板１０に設けられる直線上に並んだスピーカーユニット取付孔２ａおよび３ａをそれぞれ規定する周縁部にそれぞれ取り付けられている。  
【００４４】
全て略矩形平面状の板材から構成されている前面板１１と、右側板１２と、左側板１３と、背面板１４と、天面板１５と、底面板１６と、は互いに直交する角度で連結して、六面体の略直方体形状のスピーカーキャビネット１０ａを構成する。したがって、前面板１１および背面板１４の組と、右側板１２および左側板１３の組と、天面板１５および底面板１６の組と、はそれぞれの板材が平行に対向して、ウーファー２の振動板の背面側の空間に音響容量を規定する第１空間１７を設けている。
【００４５】
スピーカーキャビネット１０ａは、その内側において、ツィーター３の背面側に第１空間１７とは隔てられる第２空間２７を規定する内殻キャビネットとしてのチャンバー２０ａを備える。したがって、それぞれの内部空間で発生しうる定在波による音響的な影響、あるいは、他のスピーカーユニットからの振動の影響を、相互に受けない・及ぼさないようにすることができる。
【００４６】
チャンバー２０ａは、略三角形平面状の板材で形成されている右側面板２２、左側面板２３、天面板２５および底面板２６と、を備える。チャンバー２０ａは、前面板１１にその背面側から取り付けられており、右側面板２２と、左側面板２３と、天面板２５と、底面板２６とが、それぞれ前面板１１に対して直交しないように連結しているので、その内側に略四角錐形状の第２空間２７を規定する。チャンバー２０ａを構成する右側板２２および左側板２３の組と、天面板２５および底面板２６の組と、はそれぞれの板材が非平行に対向することになる。
【００４７】
つまり、チャンバー２０ａは、ツィーター３の背面側において、前面板１１から背面板１４に向かうにつれて断面積が小さくなるような略四角錐形状の第２空間２７を規定する。また、スピーカーキャビネット１０ａの内側において、略四角錐形状の外形を有するチャンバー２０ａは、前面板１１の中央付近から背面板１４に向かって突出することになる。したがって、スピーカーキャビネット１０ａとチャンバー２０ａとの間では、相対的に対向する関係になる右側板１２および右側板２２の組と、左側板１３および左側板２３の組と、天面板１５および天面板２５の組と、底面板１６および底面板２６の組と、はそれぞれの板材が非平行に対向することになる。チャンバー２０ａは、先の実施例における背面板２４を備えないので、スピーカーキャビネット１０ａの背面板１４と対向する面が存在しないことになる。
【００４８】
したがって、チャンバー２０ａは、第２空間２７での定在波をさらに発生させにくくすることができる。その結果、ツィーター３からの放射音圧周波数特性に、定在波によるピーク・ディップが現れるのを抑制することができる。また、チャンバー２０ａは、略四角錐台形状の内部空間である第２空間２７を形成するように、前面板１１の中央付近から背面板１４に向かって突出するので、第１空間１７における定在波の発生を抑制することができる。
【００４９】
さらに、スピーカーキャビネット１０ａとチャンバー２０ａとの間では、相対的に対向する関係になる右側板１２および右側板２２の組と、左側板１３および左側板２３の組と、天面板１５および天面板２５の組と、底面板１６および底面板２６の組と、はそれぞれの板材が非平行に対向することになるので、第１空間１７での定在波の発生を抑制することができる。その結果、ウーファー２および４からの放射音圧周波数特性に、定在波によるピーク・ディップが現れるのを抑制することができる。
【００５０】
本実施例では、大きな外殻を構成する略直方体形状のスピーカーキャビネット１０ａの内側に略四角錐形状のチャンバー２０ａを形成しているので、チャンバー２０ａの構造が更に簡易化されて製造が容易になり、製造に係るコストを安くできる利点がある。
【実施例３】
【００５１】
図３は、本発明の他の好ましい実施形態によるスピーカーキャビネット１０ｂについて説明する図である。具体的には、図３（ａ）はスピーカーキャビネット１０ａの正面図、図３（ｂ）は天面側から見たＡ−Ａ’断面図、図３（ｃ）は側面側から見たＢ−Ｂ’断面図である。なお、以下において、本発明の説明に不要なスピーカーキャビネット１０ｂの一部の構造や、内部構造等は、図示並びに説明を省略する。また、上記実施例で説明する同様の構成については、同じ名称と符号を付して説明を省略する。
【００５２】
スピーカーキャビネット１０ｂは、略矩形平面状の板材から構成されている前面板１１および背面板１４と、略台形平面状の板材から構成されている右側板１２と、左側板１３と、天面板１５と、底面板１６と、を備えて、横幅寸法が前面板１１から背面板１４に至るにつれて大きくなり、高さ寸法が前面板１１から背面板１４に至るにつれて小さくなる異形の直方体形状を有する。したがって、右側板１２および左側板１３の組と、天面板１５および底面板１６の組と、はそれぞれの板材が非平行に対向して、ウーファー２の振動板の背面側の空間に音響容量を規定する第１空間１７を設けている。
【００５３】
スピーカーキャビネット１０ｂは、その内側において、ツィーター３の背面側に第１空間１７とは隔てられる第２空間２７を規定する内殻キャビネットとしてのチャンバー２０ｂを備える。したがって、それぞれの内部空間で発生しうる定在波による音響的な影響、あるいは、他のスピーカーユニットからの振動の影響を、相互に受けない・及ぼさないようにすることができる。
【００５４】
チャンバー２０ｂは、略矩形平面状の板材で形成されている右側面板２２、左側面板２３、背面板２４、天面板２５および底面板２６と、を備える。チャンバー２０ｂは、前面板１１にその背面側から取り付けられており、右側面板２２と、左側面板２３と、天面板２５と、底面板２６とが、それぞれ前面板１１に対して直交するように連結しているので、その内側に略直方体形状の第２空間２７を規定する。
【００５５】
つまり、スピーカーキャビネット１０ｂの内側において、略直方体形状の外形を有するチャンバー２０ｂは、前面板１１の中央付近から背面板１４に向かって突出することになる。したがって、スピーカーキャビネット１０ａとチャンバー２０ａとの間では、相対的に対向する関係になる右側板１２および右側板２２の組と、左側板１３および左側板２３の組と、天面板１５および天面板２５の組と、底面板１６および底面板２６の組と、はそれぞれの板材が非平行に対向することになる。その結果、第１空間１７での定在波の発生を抑制することができる。ウーファー２および４からの放射音圧周波数特性に、定在波によるピーク・ディップが現れるのを抑制することができる。
【００５６】
本実施例では、ウーファー２の振動板の背面側の空間に音響容量を規定する第１空間１７において、定在波が発生して音圧周波数特性に影響する場合に対応することが可能になる。スピーカーキャビネット１０ｂは、少なくとも相対的に対向する関係になる右側板１２および右側板２２の組と、左側板１３および左側板２３の組と、天面板１５および天面板２５の組と、底面板１６および底面板２６の組と、がそれぞれの板材が非平行に対向するようにすればよい。
【００５７】
なお、マルチウェイのスピーカーシステムは、上記実施例の２ウェイ以上の複数のスピーカーユニットが前面板１１に取り付けられるものであればよく、３ウェイまたは４ウェイ以上の方式に対応するものであってもよい。少なくとも一方のスピーカーユニットの背面側に第１空間１７を規定するスピーカーキャビネット１０の内側に、他方のスピーカーユニットの背面側に第１空間１７とは隔てられる第２空間２７を規定するチャンバー２０を備えるものであればよい。
【００５８】
また、スピーカーキャビネットおよびチャンバーを構成する材料は、木質材料に限られず、樹脂材料または金属材料による平面を含む部材を利用して、少なくとも相対的に対向する関係になる右側板１２および右側板２２の組と、左側板１３および左側板２３の組と、天面板１５および天面板２５の組と、底面板１６および底面板２６の組と、がそれぞれの板材が非平行に対向するようにすればよい。
【産業上の利用可能性】
【００５９】
本発明のスピーカーキャビネット並びにスピーカーキャビネットを用いたスピーカーシステムは、家庭用のステレオ再生、もしくはマルチチャンネルサラウンド再生に限られず、車載用のオーディオ機器や、映画館等の音響再生設備にも適用が可能である。
【符号の説明】
【００６０】
１            スピーカーシステム
２、４        ウーファー
３            ツィーター
１０          スピーカーキャビネット
２０          チャンバー
１１          前面板
１２、２２    右側板
１３、２３    左側板
１４、２４    背面板
１５、２５    天面板
１６、２６    底面板
１７、２７    第１空間、第２空間
【図１】
2018088662.tif 000003
【図２】
2018088662.tif 000004
【図３】
2018088662.tif 000005
【図４】
2018088662.tif 000006
【図５】
2018088662.tif 000007